(57)【要約】【課題】  ストレートカットする方法を採用し、容易に裁断紙片の情報の判読を困難にしつつ、裁断紙片を古紙として再生利用しやすいシュレッダを提供する。【解決手段】  本発明のシュレッダは、記録媒体７をストレートカットする裁断機構４と、ストレートカットされた記録媒体７を回収する回収容器６とを備えてなるシュレッダ１において、前記回収容器６（６１、６２）を複数個備えてなり、前記ストレートカットされた記録媒体７を、記録媒体７のカット方向に直交する任意の間隔ごとに異なる回収容器６１、６２に回収する回収機構を備えて構成する。【選択図】図１
2008246379.tif 000002
【特許請求の範囲】
【請求項１】
記録媒体をストレートカットする裁断機構と、ストレートカットされた記録媒体を回収する回収容器とを備えてなるシュレッダにおいて、前記回収容器を複数個備えてなり、前記ストレートカットされた記録媒体を、記録媒体のカット方向に直交する任意の間隔ごとに異なる回収容器に回収する回収機構を備えてなることを特徴とするシュレッダ。
【請求項２】
前記回収機構がストレートカットされた記録媒体を前記回収容器に誘導する複数の誘導路からなることを特徴とする請求項１記載のシュレッダ。
【請求項３】
前記誘導路が、隣り合う誘導路ごとに異なる回収容器に接続されてなることを特徴とする請求項２記載のシュレッダ。
【発明の詳細な説明】
【技術分野】
【０００１】
本発明は、記録媒体を裁断処理するシュレッダに関する。
【背景技術】
【０００２】
機密情報を含む記録媒体（書類）を廃棄する際は、機密情報を判読不能とするために細かく裁断する必要がある。裁断作業は手作業でも可能であるが、効率よく裁断するため、記録媒体を細かく裁断することが可能なシュレッダが用いられている。
【０００３】
シュレッダとしては縦方向のみにストレートカットを行うものもあるが、機密性を高めるためには、縦横両方向にクロスカットを行うものが用いられている（特許文献１）。
【０００４】
【特許文献１】特開２００２−９６２８９号公報
【発明の開示】
【発明が解決しようとする課題】
【０００５】
しかし、このようなクロスカットを行うシュレッダは、裁断負荷が大きすぎることにより噛み合い刃に微妙な狂いが生じてカッタの裁断寿命を損なったり、縦裁断するカッタの他に横裁断を加えるために更にカッタを追加するか、あるいは特殊なクロスカット刃の構成とするため製造コスト高になったり、噛み合い歯の狂いを調整するメンテナンスがコスト高になったりするといった問題があった。
【０００６】
また、機密を要する記録媒体（書類）はクロスカットにより細かく裁断されて機密性を高められる反面、裁断紙片が屑状になってしまい古紙として再生利用しにくいという問題があった。
【０００７】
一方、ストレートカットする方法では、裁断紙片は古紙として再生利用しやすいが、ストレートカット（短冊状に裁断）しただけでは紙片を貼り合わせて容易に復元されてしまい、判読可能となるため機密保持面で問題がある。
【０００８】
本発明は、上記事情に鑑みなされたもので、容易に裁断紙片の情報の判読を困難にしつつ、裁断紙片が古紙として再生利用しやすいシュレッダを提供する。
【課題を解決するための手段】
【０００９】
上記課題を解決する本発明のシュレッダは、記録媒体をストレートカットする裁断機構と、ストレートカットされた記録媒体を回収する回収容器とを備えてなるシュレッダにおいて、前記回収容器を複数個備えてなり、前記ストレートカットされた記録媒体を、記録媒体のカット方向に直交する任意の間隔ごとに異なる回収容器に回収する回収機構を備えてなることを特徴とするものである。
【００１０】
本発明のシュレッダは、前記回収機構がストレートカットされた記録媒体を前記回収容器に誘導する複数の誘導路からなることを特徴とするものである。
【００１１】
本発明のシュレッダは、前記誘導路が、隣り合う誘導路ごとに異なる回収容器に接続されてなることを特徴とするものである。
【発明の効果】
【００１２】
本発明のシュレッダは、裁断機構をストレートカットにしたため、シンプルな機構とすることができる。このため従来のクロスカット機構が抱えていた裁断負荷が大きすぎることが原因で生じるカッタの裁断寿命の低下や、クロスカット機構の製造コスト高や、メンテナンスのコスト高といった問題を生じることがない。また、記録媒体をクロスカットではなくストレートカットする裁断機構を備えていることにより、裁断紙片が古紙として再生利用しやすくすることができる。さらに、ストレートカットされた記録媒体を、カット方向に直交する任意の間隔ごとに異なる回収容器に回収する回収機構を備えていることから、記録媒体の機密情報を異なる回収容器に散在させることができ、記録媒体の機密保持を簡易に行うことができる。また、本発明のシュレッダによれば、裁断紙片が古紙として再生利用しやすいものであるため、ゴミ焼却処理が不要になり二酸化炭素やダイオキシンの発生などがなく、環境への負担が低減できる。
【発明を実施するための最良の形態】
【００１３】
本発明のシュレッダの実施の形態について、図１、図２を用いて説明する。
本発明のシュレッダ１は、記録媒体７をストレートカットする裁断機構４と、ストレートカットされた記録媒体７を回収する回収容器６とを備えてなるシュレッダ１において、回収容器６１、６２を複数個備えてなり、ストレートカットされた記録媒体７を、記録媒体７のカット方向に直交する任意の間隔ごとに異なる回収容器６１、６２に回収する回収機構を備えてなるものである。また、好ましくは回収機構がストレートカットされた記録媒体７を回収容器６１、６２に誘導する複数の誘導路５１、５２からなるものである。さらに好ましくは、誘導路５が、隣り合う誘導路５１、５２ごとに異なる回収容器６１、６２に接続されてなるものである。以下、各構成要素の実施の形態を説明する。
【００１４】
図１は、本発明のシュレッダ１の実施の形態を示す概略構成を示す断面図である。図示するように、本発明に係るシュレッダ１は、筐体２、記録媒体７をストレートカットする裁断機構４と、ストレートカットされた裁断紙片８を前方の回収容器６１に誘導する誘導路５１と、後方の回収容器６２に誘導する誘導路５２と、ストレートカットされた裁断紙片８を回収する前方の回収容器６１と後方の回収容器６２とを備え、筐体２の上面は記録媒体７を投入する投入口３と、図示しない装置の操作部を備え、筐体２の側部は図示しない回収容器取出扉とメンテナンス扉を備え、筐体２内には図示しない裁断機構４の駆動部とを備えたものである。
【００１５】
次に、図１の搬送経路について説明する。記録媒体７は筐体２の上面の投入口３から投入され、記録媒体７は投入口３の直下に位置する裁断機構４を通過することにより裁断機構４が備えるカッタにより裁断される。裁断された裁断紙片８は、裁断機構４の直下に位置する誘導路５により誘導されて筐体２の底面に設置された回収容器６１、６２に回収される。
【００１６】
裁断機構４は、裁断機構４の裁断範囲の全域をストレートカットすることができる。このようなストレートカットできる裁断機構４は、公知の技術を利用して作製することができる。例えば一対の円盤状の回転刃（カッタ）を、その周縁の一部を相互に重なり合うようにしたカッタ軸上に、軸方向には円盤状の回転刃の配置位置をカットする幅に設定した状態で多数枚設置し、記録媒体７を一方向に裁断するストレートカット構造となっている。また、記録媒体７の裁断は、図示しない駆動装置により裁断機構４が有する前記一対の円盤状の回転刃を図示する方向に同期して回転させながら、円盤状の回転刃と円盤状の回転刃との間に記録媒体７を通過させるようにすると、記録媒体７は円盤状の回転刃が設定された位置で円盤状の回転刃の回転する方向に従って引き込まれ、ストレートカットすることができる。
【００１７】
ストレートカットのカット幅は、カッタ軸上のどの位置においても同じカット幅となるように図示したが、必ずしも同じカット幅にしなくてもよい。
【００１８】
以上のように、カッタの配置位置を幅広に設けてストレートカットすることにより、裁断紙片８の裁断を減らし、紙の繊維の切断を減らすことができる。このような裁断紙片８は、古紙として再生利用しやすいものとすることができる。
【００１９】
また、本発明のシュレッダ１は、ストレートカットされた記録媒体７を、記録媒体７のカット方向に直交する任意の間隔（均等な間隔でもよいし、ランダムな間隔でもよい）ごとに異なる回収容器６に回収する回収機構を備えてなることにより、裁断紙片８は例えば文字を読むことができても文書として内容の把握をしにくいものとすることができる。また、好ましくは記録媒体７の文字を読む方向とは垂直方向に裁断すると、文書の判読をさらに効果的に困難にすることができる。
【００２０】
次に、回収容器６は、筐体２の下部に複数個を備えられている。回収容器６の配置については特に限定されるものではないが、裁断機構４と平行になるように配置されることが好ましい。さらに、裁断機構４によりストレートカットされた記録媒体７を、記録媒体７のカット方向に直交する任意の間隔ごとに異なる回収容器６１、６２に回収される。
【００２１】
このように、回収容器６１、６２を複数個備えることにより、裁断紙片８を散在して回収容器６に回収されることを可能にすることができる。
【００２２】
このような回収容器６１、６２の形状は、特に限定されるものではなく、例えば箱型や袋状のもの等を使用することができる。
【００２３】
また、回収容器６１、６２の材質は、特に限定されるものではなく、例えば木、ビニル（袋状のもの）、プラスチック、金属等を使用することができる。
【００２４】
また、本発明のシュレッダ１は、回収機構がストレートカットされた記録媒体７を回収容器６１、６２に誘導する複数の誘導路５からなるものであることが好ましい。
【００２５】
図２は、本発明のシュレッダ１の筐体２をはずして後方から見た状態の概略図である。誘導路５は裁断機構４の裁断範囲の全域に対応して設置され、回収容器６１に誘導された誘導路５１と、回収容器６２に誘導された誘導路５２を有したものである。誘導路５１は裁断紙片８を回収容器６１に誘導して回収されるようにしている。同時に、誘導路５２は裁断紙片８を回収容器６２に誘導して回収されるようにしている。本発明のシュレッダ１は、記録媒体７の投入方向は自由であり、縦、横、斜めに投入した場合でも処理できる。
【００２６】
誘導路５は、裁断機構４が有する各カッタの間隔（カット幅）に対応した幅になるように各誘導路５１、５２の幅を決めて複数の独立した誘導路５１、５２を作製する。このようにして決めた誘導路５１、５２の幅は、カット幅の２枚分を有する誘導路幅としてもよく、あるいはカット幅の３枚分を有する誘導路幅というようにしてもよいが、図示するようにストレートカットのカット幅と同一の幅になることが好ましい。次に、各誘導路５１、５２が裁断直後の各裁断紙片８を直下で受けて目的の回収容器６１、６２に誘導するように各誘導路５１、５２を設置する。
【００２７】
誘導路５は、裁断機構４の直下に位置し裁断された紙片８を各誘導路５１、５２の路面上で受けて、裁断紙片８を誘導路５１、５２の終端部まで滑走させることにより、裁断紙片８を設定された目標の回収容器６１、６２へ導くようにする。このようにして誘導路５１、５２の終端部まで誘導された裁断紙片８は、目標の回収容器６１、６２に到達し、裁断紙片８は自重により自然落下し回収容器６１、６２中に回収される。回収された裁断紙片８は回収容器６１、６２中にそのまま堆積することになる。
【００２８】
このような誘導路５は、ストレートカットされた記録媒体７を記録媒体７のカット方向に直交する任意の間隔ごとに異なる回収容器６１、６２に誘導して回収する。図２では、裁断機構４が裁断した裁断紙片８を、一方の誘導路５１が回収容器６１に誘導し回収する。また、他方の誘導路５２が回収容器６２に誘導して回収する。
【００２９】
誘導路５は、このようにして記録媒体７を回収容器６に誘導して回収することにより、記録媒体７の裁断紙片８を、各回収容器６１、６２に散在させることができる。さらに、回収された裁断紙片８は回収容器６１、６２の中で他の裁断紙片８と混じって堆積することにより、さらに判読を困難にすることができる。
【００３０】
誘導路５は、途中で裁断紙片８が脱落しないようストレートカットされた記録媒体７が自重で滑走できるようにすることが好ましい。すなわち記録媒体７が滑走する誘導路５の表面は平滑なものとし、誘導路５の表面の凹凸形状により紙片が引っかかり停滞することがないようにすることが好ましい。このような誘導路５の材料は、特に限定されるものではなく、ステンレス等の金属や、プラスチック等があげられ、長期使用により劣化して性能が変化しないものが好ましい。また、誘導路５の表面にはシリコーン樹脂などの滑性に優れる樹脂でコーティングされたものであってもよい。
【００３１】
誘導路５は、裁断紙片８を設定した目標の各回収容器６１、６２に回収することにより、裁断紙片８の情報の判読を困難にするという所望の効果が得られる。このため誘導路５は、裁断紙片８を誘導するとき目標の回収容器６１、６２に確実に誘導することが好ましい。
【００３２】
このような誘導路５は、ストレートカットの各カット幅に合わせて各誘導路５１、５２の幅を決定することが好ましく、裁断直後の裁断紙片８を受けやすくするため、例えば誘導路５の受け取り部、または誘導路５の全長にわたって誘導路５の幅方向をＵ字型１２にして作製することが好ましい（図５）。このようにすると、回収容器６１、６２に誘導される裁断紙片８を脱落しにくいものとすることができる。また誘導路５の形状は、特に限定されるものではなく、裁断紙片８の脱落をしにくいものとすることができる形状であればよく、例えば筒状であったり、裾に向かって広がっていくものであってもよい。
【００３３】
また、誘導路５は裁断紙片８を誘導する長さ方向に対し（誘導路５の受け取り部から終端部までが）直線状になることが好ましいが、必ずしも直線状でなくてもよい。ただし、一部分を湾曲させた場合は、裁断紙片８の停滞や脱落の原因にならないようにする。
【００３４】
また、誘導路５の長さについては、誘導路５の一部分を省略した場合であっても、裁断紙片８を目的の回収容器６に誘導して回収することができる場合には、誘導路５の一部分を省略した構成としてもよい。例えば図１の場合では、回収容器６１が裁断機構４の直下に位置し、誘導路５１を配置した構成としている。このため誘導路５１を省略した場合でも、裁断機構４は裁断直後の裁断紙片８を自然落下させて、目標とする回収容器６１に回収することができる。このように誘導路５の一部を省略すると、省略した誘導路５１の製造コストを低減することができる。
【００３５】
次に、本発明のシュレッダ１は、このような誘導路５が隣り合う誘導路５ごとに異なる回収容器６１、６２に接続されてなることが好ましい。図２では、一方の誘導路５１が回収容器６１に、他方の誘導路５２が回収容器６２にというように、隣り合う誘導路５ごとに異なる回収容器６１、６２に接続されている。
【００３６】
このように誘導路５が、異なる回収容器６１、６２に接続されることにより、裁断紙片８を複数の回収容器６に散在するようにして回収することができ、さらに裁断紙片８を複数の回収容器６１、６２に隔離して収容することができる。もし、複数の回収容器６１、６２の内１個を取り出して、裁断紙片８をジグソーパズルのようにつなぎ合わせて文書を復元しようしても、隣接する裁断紙片８が、他の回収容器に散在するため、復元が困難となる。このようにして、裁断紙片８が複数の回収容器６１、６２に散在させると、回収容器６１、６２に回収された後には、記録媒体７の復元を困難にして、セキュリティを考慮した裁断とすることができる。
【００３７】
次に、各誘導路５１、５２の固定方法は、特に限定されるものではないが、各誘導路５１、５２が整列する方向に平行となるように、また整列する各誘導路５１、５２が裁断紙片８を誘導する面とは反対の側に誘導路固定支柱９を接着して固定することができる。例えば、図６の場合には誘導路５１には誘導路固定支柱９１を接着し、また誘導路５２には誘導路固定支柱９２を接着して固定する。
【００３８】
このようにして、各誘導路５１、５２が接着された誘導路固定支柱９１、９２は、筐体２側の図示しない固定用具により固定することができる。
【００３９】
以上の説明では、回収容器６１、６２が２つの場合を例に説明したが、本発明はこれに限定されるものではなく、例えば図３に示すように回収容器６１〜６３を３個有するものであってもよい。このような構造にした場合は、ストレートカットできる裁断機構４と、前方の回収容器６１に誘導する誘導路５１と、中間の回収容器６２に誘導する誘導路５２と、後方の回収容器６３に誘導する誘導路５３と、前方の回収容器６１と、中間の回収容器６２と、後方の回収容器６３を有するものとし、ストレートカットされた記録媒体７を記録媒体７のカット方向に直交する任意の間隔ごとに異なる回収容器６に回収するようにする。このように裁断紙片８を回収する回収容器６１〜６３を増やすことにより、裁断紙片８を複数の回収容器６１〜６３に散在させることができ、裁断後の紙片をより復元しにくいものとすることができるため、セキュリティを考慮した裁断とすることができる。
【００４０】
また、本発明のシュレッダ１は、図４に示すように高い機密度が要求される場合には回収容器６１〜６４の数を増やして使用できるように、誘導路変更装置１０を設け、各誘導路５１〜５４の角度の変更ができるようにしたものであってもよい。誘導路５は誘導路変更装置１０により回収容器６１〜６４の数が２個のものから３個のもの、あるいは４個のものというように、各誘導路５１〜５４の角度を変更できるものであり、変更された場合でも、各誘導路５１〜５４は裁断紙片８を目的の回収容器６１〜６４に接続して回収することができる。なお、誘導路５の変更設定の指示は、図示しない筐体２の上面に配置されたスイッチか、レバーにより設定することができるようにする。誘導路変更装置１０は、設定の変更指示により各誘導路５１〜５４が記録媒体７の回収容器６１〜６４に接続する変更の設定を自動で行えるようにすることが好ましい。このような誘導路変更装置１０としては、各誘導路５１〜５４が誘導路変更装置１０上で取り付けられ、誘導路変更装置１０が有する誘導路回転軸１１を支点にして回転することができるものである。また、誘導路変更装置１０は各回収容器６１〜６４に接続する各誘導路５１〜５４の角度変更を自動で設定できることが好ましい。さらに、各誘導路５１〜５４が各回収容器６１〜６４に接続するための長さ調整が必要な場合には、自動で設定できる構成とすることが好ましい。このような各誘導路５１〜５４の長さ調整は、特に限定されるものではく、公知の技術を使用することができ、例えば各誘導路５１〜５４が折りたたみ式の構造を有するものや、各誘導路５１〜５４が引き出し構造を有するもの等があげられる。また、このように各誘導路５１〜５４の角度を変更し誘導箇所が増えた場合には、専用の回収容器６を設定した個数分の回収容器６１〜６４を交換して使用する。このように誘導路変更装置１０を有する構成とすることで、機密度に応じて回収容器６１〜６４の数を変更することができるため、よりセキュリティを考慮した処理が可能となる。
【００４１】
さらに、図４に示す本発明のシュレッダ１は、各誘導路５１〜５４の接続を無作為に変更して、裁断紙片８を無作為に回収容器６１〜６４に回収されるようにしてもよい。このようにすることにより、裁断紙片８の回収パターンの特定を難しくすることができ、復元をさらに困難とすることができる。このような誘導路５を無作為に設定できる装置は、乱数を発生させるソフトとコンピュータとを使用して誘導路変更装置１０と連動して作動する装置等が考えられるが、特に限定されるものではなく、公知の技術を用いて作製してよい。
【００４２】
以上のような本発明のシュレッダは、ストレートカットする構成とすることにより、カッタの裁断寿命の低下、カッタの製造コスト高、メンテナンスコスト高等といった問題を解決することができる。また、本発明のシュレッダによれば、記録媒体７をストレートカットする裁断機構４と、ストレートカットされた記録媒体７を回収する回収容器６とを備えてなるシュレッダ１において、前記回収容器６（６１、６２）を複数個備えてなり、前記ストレートカットされた記録媒体７を、記録媒体７のカット方向に直交する任意の間隔ごとに異なる回収容器６１、６２に回収する回収機構を備えたことから、容易に裁断紙片８の情報の判読を困難にしつつ、裁断紙片８を古紙として再生利用しやすいシュレッダを提供することができる。さらにゴミ焼却が不要となるため二酸化炭素やダイオキシンの発生などがなく、環境への負担が低減できる。
【図面の簡単な説明】
【００４３】
【図１】本発明のシュレッダの一実施例を示す断面図
【図２】本発明のシュレッダの一実施例を示す概略図
【図３】本発明のシュレッダの他の実施例を示す断面図
【図４】本発明のシュレッダの他の実施例を示す断面図
【図５】本発明のシュレッダのＵ字型の誘導路を示す斜視図
【図６】本発明のシュレッダの誘導路と誘導路固定支柱を示す概略図
【符号の説明】
【００４４】
１・・・・シュレッダ
２・・・・筐体
３・・・・投入口
４・・・・裁断機構
５・・・・誘導路
５１・・・誘導路１
５２・・・誘導路２
５３・・・誘導路３
５４・・・誘導路４
６・・・・回収容器
６１・・・回収容器１
６２・・・回収容器２
６３・・・回収容器３
６４・・・回収容器４
７・・・・記録媒体
８・・・・裁断紙片
９・・・・誘導路固定支柱
９１・・・誘導路固定支柱１
９２・・・誘導路固定支柱２
１０・・・誘導路変更装置
１１・・・誘導路回転軸
１２・・・Ｕ字型の誘導路
【図１】
2008246379.tif 000003
【図２】
2008246379.tif 000004
【図３】
2008246379.tif 000005
【図４】
2008246379.tif 000006
【図５】
2008246379.tif 000007
【図６】
2008246379.tif 000008